(57)【要約】【課題】建物の構造体を基礎の側方で支持する場合において、その構造体を安定して支持することができる構造体連結構造及び建物を提供する。【解決手段】基礎１１は、鉄筋として基礎１１に沿って延びる上端主筋５５、腹筋５６及び下端主筋５７と、上下に延びるあばら筋５８とを有している。基礎１１にはアンカー金具４１が設けられ、アンカー金具４１は基礎１１の立ち上がり部１１ｂの側面に板面が露出する平板状の連結プレート４２と、連結プレート４２から基礎１１の内方に延びるアンカー部４３とを備えている。アンカー部４３は上下方向に所定間隔をおいて上側アンカー部４３Ａと下側アンカー部４３Ｂとを備え、上側アンカー部４３Ａが上端主筋５５の上方で上端主筋５５と交差している一方、下側アンカー部４３Ｂが腹筋５６の上方で腹筋５６と交差している。連結プレート４２の露出面にはブラケット４６を介してスキップ柱４７が連結されている。【選択図】図２
2010209628.tif 000002
【特許請求の範囲】
【請求項１】
建物の基礎の立ち上がり部に一部が埋設されたアンカー金具を介して建物の構造体を前記基礎に連結する構造体連結構造において、
前記アンカー金具は、前記基礎の立ち上がり部の側面に露出して前記構造体を連結する連結部と、この連結部から前記基礎の内方に延びるアンカー部とを備え、
前記アンカー部は、前記基礎内に配設されている複数の基礎鉄筋のうち前記基礎の長手方向に延びる横鉄筋の上方で当該横鉄筋と交差していることを特徴とする構造体連結構造。
【請求項２】
前記アンカー部は、前記基礎の内部において、前記基礎の立ち上がり部の厚み方向に延び前記横鉄筋の上方で当該横鉄筋と交差している第１アンカー部と、前記第１アンカー部に対して屈曲している第２アンカー部と、を備えていることを特徴とする請求項１に記載の構造体連結構造。
【請求項３】
前記第２アンカー部は、前記基礎鉄筋を挟んで前記連結部とは反対側において当該基礎鉄筋と交差していることを特徴とする請求項２に記載の構造体連結構造。
【請求項４】
前記アンカー金具は、前記連結部を２つ備えており、
前記各連結部は、前記基礎の立ち上がり部における両側面にそれぞれ露出して設けられ、前記アンカー部は前記各連結部を繋ぐように設けられていることを特徴とする請求項１乃至３のいずれか一項に記載の構造体連結構造。
【請求項５】
前記連結部には、前記構造体の連結基準位置に対して左右それぞれに前記アンカー部が設けられ、
前記各アンカー部が前記連結基準位置に対して非対称に配置されていることを特徴とする請求項１乃至３のいずれか一項に記載の構造体連結構造。
【請求項６】
前記基礎内には、前記横鉄筋が上下方向に所定間隔をおいて複数配設されている一方、
前記アンカー金具は、前記アンカー部を上下方向に所定間隔をおいて複数備えており、
これら複数の各アンカー部がそれぞれ別々の前記横鉄筋の上方で各々の横鉄筋と交差していることを特徴とする請求項１乃至５のいずれか一項に記載の構造体連結構造。
【請求項７】
建物の骨組構造として、建物の全体構造を構成する主架構と、建物内の所定の空間を形成し前記主架構とは独立して設定された副架構とを有する建物において、
前記基礎の立ち上がり部の上面には、前記主架構を構成する柱が設置されている一方、当該立ち上がり部の側面には、前記副架構を構成する柱が請求項１乃至６のいずれか一項に記載の構造体連結構造により連結されていることを特徴とする建物。
【発明の詳細な説明】
【技術分野】
【０００１】
本発明は、構造体連結構造及び建物に関する。
【背景技術】
【０００２】
住宅等の建物では、上階と下階との間に、それら上階及び下階の階高よりも低い中間階を形成し、その中間階を収納スペースとして利用可能としたものが知られている。かかる建物では、その骨組構造が建物の全体構造を構成する主架構と、収納スペースを形成する副架構とから構成されているものがある。例えば、特許文献１では、主架構を構成する柱を基礎の立ち上がり部上において支持させる一方、副架構を構成する柱を立ち上がり部の側面に設けられた支持金具に連結させて基礎の側方において支持させる骨組構造が開示されている。この場合、副架構が主架構から独立して設定されるため、副架構を考慮に入れずに主架構の構造計算をすることができ、その結果従来の建物と主架構を同一のものとして設計することができる。
【先行技術文献】
【特許文献】
【０００３】
【特許文献１】特開２００７−３１５１６６号公報
【発明の概要】
【発明が解決しようとする課題】
【０００４】
しかしながら、上記特許文献１の骨組構造は、基礎の立ち上がり部の側方において柱を支持する構造であるため、基礎の立ち上がり部上で下方より柱を支持する一般の建物構造と比べ、安定性の面で懸念がある。また、上記特許文献１の構造は、支持部材により柱を支持する構成であるため、重量物である柱（ひいては副架構）の荷重が支持部材に作用し、ひいてはその荷重が基礎に作用する。そのため、支持部材と基礎との連結構造にはその荷重を安定して支える構造が求められるが、上記文献１にはかかる連結構造についてその詳細が開示されていない。
【０００５】
なお、かかる問題は、基礎の立ち上がり部の側方において柱を支持する場合にのみ生じる問題ではなく、基礎の立ち上がり部の側方において梁等その他の構造体を支持する場合においても同様に生じる問題である。
【０００６】
本発明は、上記事情に鑑みてなされたものであり、建物の構造体を基礎の側方で支持する場合において、その構造体を安定して支持することができる構造体連結構造及び建物を提供することを主たる目的とするものである。
【課題を解決するための手段】
【０００７】
上記課題を解決すべく、第１の発明の構造体連結構造は、建物の基礎の立ち上がり部に一部が埋設されたアンカー金具を介して建物の構造体を前記基礎に連結する構造体連結構造において、前記アンカー金具は、前記基礎の立ち上がり部の側面に露出して前記構造体を連結する連結部と、この連結部から前記基礎の内方に延びるアンカー部とを備え、前記アンカー部は、前記基礎内に配設されている複数の基礎鉄筋のうち前記基礎の長手方向に延びる横鉄筋の上方で当該横鉄筋と交差していることを特徴とする。
【０００８】
本発明によれば、基礎の立ち上がり部の側面に露出するアンカー金具の連結部に建物の構造体（例えば柱や梁）を連結させることにより、建物の構造体を同立ち上がり部の側方において支持することができる。この場合、建物の構造体の荷重がアンカー金具に作用することとなるが、アンカー金具において連結部から基礎の内方に延びるアンカー部が基礎の長手方向に延びる横鉄筋の上方でその横鉄筋と交差しているため、アンカー金具に作用する荷重を基礎のコンクリートだけでなく横鉄筋によっても支えることができる。これにより、建物の構造体を基礎の側方で支持する場合において、その構造体を安定して支持することができる。
【０００９】
また、アンカー部は、異形鉄筋により形成されているとよい。これにより、基礎内のコンクリートに対するアンカー部の付着性を異形鉄筋の凹凸（節）により高めることができるため、アンカー部の基礎からの抜け防止を高める効果を期待できる。
【００１０】
第２の発明の構造体連結構造は、第１の発明において、前記アンカー部は、前記基礎の内部において、前記基礎の立ち上がり部の厚み方向に延び前記横鉄筋の上方で当該横鉄筋と交差している第１アンカー部と、前記第１アンカー部に対して屈曲している第２アンカー部と、を備えていることを特徴とする。
【００１１】
本発明によれば、アンカー部において第１アンカー部が横鉄筋の上方でその横鉄筋と交差しているため、アンカー金具に作用する構造体の荷重を基礎のコンクリートだけでなく横鉄筋によっても支えることができる。したがって、第１の発明の効果を得ることができる。また、アンカー部において、基礎の立ち上がり部の厚み方向に延びる第１アンカー部に対して第２アンカー部が屈曲して設けられているため、アンカー部の全長を同立ち上がり部の厚み寸法よりも長くすることができる。これにより、アンカー部に第２アンカー部が設けられていない場合と比べ、基礎内のコンクリートに対するアンカー部の定着性を高めることができ、その結果アンカー部の基礎からの抜け防止効果を高めることができる。
【００１２】
第３の発明の構造体連結構造は、第２の発明において、前記第２アンカー部は、前記基礎鉄筋を挟んで前記連結部とは反対側において当該基礎鉄筋と交差していることを特徴とする。
【００１３】
本発明によれば、アンカー部の第２アンカー部が、基礎鉄筋を挟んで連結部とは反対側においてその基礎鉄筋と交差しているため、構造体に外力が加わる等してアンカー金具に基礎からの引き抜き力が作用した場合にその引き抜き力を基礎のコンクリートのみならず基礎鉄筋によっても受けることができる。これにより、より一層安定した状態で構造体を基礎の側面に連結することができる。
【００１４】
第４の発明の構造体連結構造は、第１乃至第３のいずれかの発明において、前記アンカー金具は、前記連結部を２つ備えており、前記各連結部は、前記基礎の立ち上がり部における両側面にそれぞれ露出して設けられ、前記アンカー部は前記各連結部を繋ぐように設けられていることを特徴とする
本発明によれば、基礎の立ち上がり部における両側面にそれぞれ連結部が露出しており、その２つの連結部に建物の構造体をそれぞれ連結させることができる。つまり、一つの基礎に対して二つの構造体を基礎の側方において支持させることができる。また、アンカー部が横鉄筋の上方で当該横鉄筋と交差しているため、アンカー金具に作用する２つの構造体の荷重を基礎のコンクリートのみならず横鉄筋によっても支えることができる。
【００１５】
ここで、連結部を一つだけ備えたアンカー金具を二つ用いても同様の効果を得ることができるが、この場合、アンカー金具を基礎に配置する際基礎内で互いのアンカー部同士が干渉しないよう配慮する必要がある。その点、本発明によれば、そのような配慮をすることなく、上記の効果を得ることができる利点がある。
【００１６】
第５の発明の構造体連結構造は、第１乃至第３のいずれかの発明において、前記連結部には、前記構造体の連結基準位置に対して左右それぞれに前記アンカー部が設けられ、前記各アンカー部が前記連結基準位置に対して非対称に配置されていることを特徴とする。
【００１７】
本発明によれば、アンカー金具において、連結部には構造体の連結基準位置に対して左右非対称にアンカー部が配置されている。これにより、同じ二つのアンカー金具を、基礎の立ち上がり部の両側面において基礎の長手方向における同位置にそれぞれ設ける場合に、互いのアンカー部同士が干渉することなく設けることができる。
【００１８】
第６の発明の構造体連結構造は、第１乃至第５のいずれかの発明において、前記基礎内には、前記横鉄筋が上下方向に所定間隔をおいて複数配設されている一方、前記アンカー金具は、前記アンカー部を上下方向に所定間隔をおいて複数備えており、これら複数の各アンカー部がそれぞれ別々の前記横鉄筋の上方で各々の横鉄筋と交差していることを特徴とする。
【００１９】
本発明によれば、複数のアンカー部がそれぞれ別々の横鉄筋の上方で各々の横鉄筋と交差しているため、アンカー金具に作用する構造体の荷重を基礎のコンクリートの他、複数の横鉄筋によって支えることができる。この場合、構造体の荷重を複数の横鉄筋に分散させることができるため、１本の横鉄筋によりその荷重を支える場合と比べ、（１本当たりの）横鉄筋に作用する荷重を小さくすることができる。これにより、建物の構造体を基礎の側方で支持する場合において、より一層安定した状態で支持することができる。
【００２０】
第７の発明の建物は、建物の骨組構造として、建物の全体構造を構成する主架構と、建物内の所定の空間を形成し前記主架構とは独立して設定された副架構とを有する建物において、前記基礎の立ち上がり部の上面には、前記主架構を構成する柱が設置されている一方、当該立ち上がり部の側面には、前記副架構を構成する柱が請求項１乃至６のいずれか一項に記載の構造体連結構造により連結されていることを特徴とする。
【００２１】
本発明によれば、副架構を構成する柱が基礎の立ち上がり部の側面に構造体連結構造により連結されているため、立ち上がり部の側方でその柱を安定して支持することができる。すなわち、主架構とは独立して設定された副架構を基礎の側方で安定して支持することができる。
【図面の簡単な説明】
【００２２】
【図１】建物の骨組構造を示す正面図。
【図２】基礎周辺のスキップ架構の構成を示す縦断面図。
【図３】アンカー金具の構成図。
【図４】スキップ架構の分解斜視図。
【図５】アンカー金具の別例を示す縦断面図。
【発明を実施するための形態】
【００２３】
以下に、発明を具体化した一実施形態である建物について、図１を参照しつつ説明する。なお、図１は建物の骨組構造を示す正面図である。
【００２４】
図１に示すように、本実施形態の建物１０は、基礎１１上に形成された下階としての一階部分１２と、その一階部分１２の上方に連続して形成された上階としての二階部分１３とを備えている。基礎１１は、周知の鉄筋コンクリート造の基礎として構成されており、建物外周部とそれよりも内側の壁（耐力壁等）の設置部分とに設けられ、底部であるフーチング１１ａとその上方に延びる立ち上がり部１１ｂとからなる。基礎１１の立ち上がり部１１ｂの上端（天端）の高さ位置はいずれも同一であるのに対し、フーチング１１ａの位置は上下相違するものとなっている。これは、例えば図のＡ部に、床面が地上面ＧＬよりも低いロアストレージ（床下収容部）を形成するためである。
【００２５】
建物１０は、鋼材が骨組として利用され基礎１１上に設けられた骨組構造２０を備え、この骨組構造２０に外壁その他の各種建築材が設けられることにより構築されている。骨組構造２０は、建物１０の全体構造を構成する主架構３０と、この主架構３０から独立して（すなわち絶縁させて）設けられる副架構としてのスキップ架構４０とからなる。以下、主架構３０及びスキップ架構４０について説明する。
【００２６】
まず、主架構３０について説明すると、基礎１１の立ち上がり部１１ｂの上端部には、下階柱３１ａ〜３１ｄが立設されている。ここで、下階柱３１ｂ，３１ｄは、剛性維持のためにラチス柱により構成されている。各下階柱３１ａ〜３１ｄの上端は水平方向に延びる上階床梁３２と連結されている。その連結構造は、例えば連結金具がそれぞれにボルト止めされたり溶接されたりすることにより実現される。
【００２７】
上階床梁３２においてその上部に図示しない上階床材が設置されるとともにその下部に下階天井材が設置されることにより、一階部分１２と二階部分１３との境界部が構築される。上階床梁２３には上階柱３３ａ〜３３ｃの下端が連結されており、これら各上階柱３３ａ〜３３ｃの上端には水平方向に延びる上階天井梁（図示略）が連結されている。なお、これらの連結構造も、下階柱３１ａ〜３１ｄの場合と同様、例えば連結金具がそれぞれにボルト止めされたり溶接されたりすることにより実現される。
【００２８】
続いてスキップ架構４０について説明すると、本実施形態では、ロアストレージの上方に一階床を形成する目的でスキップ架構４０が設けられており、図１ではＡ部を囲む基礎１１（フーチング１１ａが他よりも低位になっている基礎）に連結してスキップ架構４０が設けられている。スキップ架構４０は、基礎１１の立ち上がり部１１ｂの側面部に連結されているスキップ柱部Ｓ１と、このスキップ柱部Ｓ１の上端に連結されるスキップ床部Ｓ２とからなる。
【００２９】
次に、図２〜図４を用いて、基礎１１及びスキップ架構４０の構成をより詳細に説明する。なお、図２は基礎１１周辺のスキップ架構４０の構成を拡大して示す断面図であり、図３は基礎１１に設けられたアンカー金具の構成図であり、図４はスキップ架構４０の分解斜視図である。
【００３０】
図２に示すように、基礎１１は、コンクリートの内部に複数の鉄筋を有しており、具体的には鉄筋として、基礎１１に沿って延びる上端主筋５５、腹筋５６及び下端主筋５７と、上下に延びるあばら筋５８とを有している。なおここで、上端主筋５５、腹筋５６及び下端主筋５７が横鉄筋であり、あばら筋５８が縦鉄筋である。上端主筋５５、腹筋５６及び下端主筋５７はそれぞれ、あばら筋５８の上下方向における上端位置、中間位置及び下端位置に配設されており、それら各位置であばら筋５８に対し溶接等により固定されている。また、上端主筋５５、腹筋５６、下端主筋５７及びあばら筋５８は、異形鉄筋により構成されている。
【００３１】
基礎１１の立ち上がり部１１ｂには、アンカー金具４１が設けられている。アンカー金具４１は、その一部がＡ部側に露出するとともに他の部位が基礎１１の立ち上がり部１１ｂの内部に埋められた状態で設けられている。アンカー金具４１は、図３に示すように、平板状の連結プレート４２と、その連結プレート４２の板面（以下、アンカー面という）に連結されたアンカー部４３とを備えている。
【００３２】
連結プレート４２は、例えば金属製の板材よりなる。連結プレート４２のアンカー面には、上下方向に所定間隔をおいて複数（図面では２つ）の埋め込みナット４４が設けられ、これら各埋め込みナット４４が連結プレート４２の幅方向における略中央部に配置されている。したがって、各埋め込みナット４４に対してアンカー面とは反対側からボルトを締結させることが可能となっている。
【００３３】
アンカー部４３は、異形鉄筋を曲げ加工することにより形成されており、その全長が基礎１１の立ち上がり部１１ｂの厚み寸法よりも長くなるように設定されている。アンカー部４３は、上下方向に延び連結プレート４２のアンカー面に連結されている連結部４３ａと、連結部４３ａの上端部から連結プレート４２に対し離間する側（以下、離間側という）に延びる水平部４３ｂと、水平部４３ｂの離間側端部から下方に延びる垂下部４３ｃとを有している。本実施形態では、水平部４３ｂが垂下部４３ｃよりも長くなっている。但し、これを変更して垂下部４３ｃを水平部４３ｂより長くしてもよい。また、本実施形態では、水平部４３ｂ及び垂下部４３ｃが連結部４３ａよりも長くなっている。
【００３４】
アンカー部４３は、上下方向に所定間隔をおいて複数設けられており、本実施形態ではアンカー部４３として上側アンカー部４３Ａと下側アンカー部４３Ｂとが設けられている。また、図３（ｂ）に示すように、各アンカー部４３Ａ，４３Ｂは水平方向に所定間隔をおいてそれぞれ一対ずつ設けられており、それら一対のアンカー部４３Ａ（４３Ｂ）が埋め込みナット４４の配設位置を基準として左右非対称に配置されている。すなわち、埋め込みナット４４の配設位置は構造体の連結基準位置であり、この連結基準位置に対して左右非対称に各アンカー部４３Ａ（４３Ｂ）が配置されている。
【００３５】
連結プレート４２の略中央部には、同プレート４２を貫通する貫通孔（図示略）が設けられており、その貫通孔には磁石６１が設けられている。磁石６１は、例えば板状をなして形成されており、その磁石面が連結プレート４２におけるアンカー面の対向面と略同一面となるよう設定されている。この磁石６１は、基礎１１を構築するコンクリートが流し込まれる金属製の型枠にアンカー金具４１を取り付けるためのものであり、施工時にはこの磁石６１を用いてアンカー金具４１を型枠の内側面に連結プレート４２の板面（アンカー面の対向面）を当接させた状態で所定位置に取り付けることができる。したがって、本実施形態では、アンカー金具４１を容易に所定位置に取り付けることが可能となっており、これにより、施工時の負荷軽減を図ることができる。
【００３６】
図２の説明に戻り、上記構成のアンカー金具４１は、基礎１１に設けられた状態において、連結プレート４２のアンカー面とは反対側の面が基礎１１の立ち上がり部１１ｂにおけるＡ部側の側面に露出している。具体的には、連結プレート４２は、例えばＡ部に露出した板面（以下、露出面という）が基礎１１の立ち上がり部１１ｂの側面と略同一面となるように設けられている。
【００３７】
アンカー部４３は、上側アンカー部４３Ａにおいて、水平部４３ｂが上端主筋５５の上方で上端主筋５５と交差しており、垂下部４３ｃが上端主筋５５を挟んで連結プレート４２とは反対側で上端主筋５５と交差している。一方、下側アンカー部４３Ｂにおいて、水平部４３ｂが腹筋５６の上方で腹筋５６と交差しており、垂下部４３ｃが腹筋５６を挟んで連結プレート４２とは反対側で腹筋５６と交差している。なお、上側アンカー部４３Ａと上端主筋５５との間及び下側アンカー部４３Ｂと腹筋５６との間にはそれぞれ所定の隙間が設けられており、各アンカー部４３Ａ，４３Ｂの周囲にコンクリートが十分に周り込むようになっている。
【００３８】
アンカー金具４１の連結プレート４２には、スキップ柱部Ｓ１が連結されている。スキップ柱部Ｓ１は、図４に示すように、連結プレート４２の露出面に連結されるブラケット４６と、上下に延びるスキップ柱４７とを備えてなる。ブラケット４６は、横断面略コ字状をなす板金部材よりなり、上下方向に延びるように形成されている。ブラケット４６は、連結プレート４２の露出面に当接される当接板部４６ａと、当接板部４６ａの幅方向両端部から基礎１１に対して離間する側に折り曲げ形成される一対の側板部４６ｂとを備える。ブラケット４６の当接板部４６ａは、連結プレート４２の埋め込みナット４４にボルト（図示略）が締結されることによりアンカー金具４１に固定されている。
【００３９】
ブラケット４６の内側には、スキップ柱４７の下部が配設されている。スキップ柱４７は、Ｈ形鋼よりなる柱本体４８と、柱本体４８の上端部に固定された梁受けプレート４９とを備えている。柱本体４８は、そのフランジ部４８ａの外側面をブラケット４６の側板部４６ｂの内側面に対向させた状態でブラケット４６の内側に配設されており、その配設状態でフランジ部４８ａがブラケット４６の側板部４６ｂにボルト等により固定されている。一方、梁受けプレート４９は平板状の板金部材であり、その板面を上方に向けた状態で柱本体４８の上端部に溶接等により固定されている。なおここで、ブラケット４６及びスキップ柱４７（スキップ柱部Ｓ１）が建物１０の構造体に相当する。また、スキップ柱４７は、Ａ部の平面視で少なくとも四隅となる位置にそれぞれ設けられている。
【００４０】
各スキップ柱４７の梁受けプレート４９の上面には、水平方向に延びるスキップ床梁５１がそれぞれ連結されている。ここで、各スキップ床梁５１がスキップ床部Ｓ２を構成している。スキップ床梁５１はＨ形鋼よりなり、その下側フランジ５１ａが梁受けプレート４９に対してボルト等により固定されている。スキップ床梁５１においてその上部に図示しないスキップ床材が設置されるとともにその下部にスキップ天井材が設置されることにより、一階部分１２においてロアストレージ（Ａ部）とその上方空間との境界部が構築される。
【００４１】
以上、詳述した本実施形態の構成によれば、以下の優れた効果が得られる。
【００４２】
基礎１１の立ち上がり部の側面に露出するアンカー金具４１の連結プレート４２に、ブラケット４６を介してスキップ柱４７を連結した。これにより、スキップ柱４７を基礎１１の側方で支持することができる。また、アンカー金具４１のアンカー部４３を基礎１１内における横鉄筋としての上端主筋５５又は腹筋５６（以下、横鉄筋という）の上方で当該横鉄筋と交差させるようにした。そのため、アンカー金具４１に作用するスキップ柱４７の荷重を基礎１１のコンクリートのみならず、横鉄筋によっても支えることができる。したがって、スキップ柱４７を基礎１１の側方で支持する場合において、スキップ柱４７を安定して支持することができる。
【００４３】
基礎１１の立ち上がり部の厚み方向に延びる水平部４３ｂと、水平部４３ｂの離間側端部から下方に延びる垂下部４３ｃとを備えてアンカー部４３を構成した。ここで、垂下部４３ｃは基礎１１の立ち上がり部の厚み方向に対して直交する方向に延びているため、アンカー部４３の全長を同立ち上がり部の厚み寸法よりも長くすることができる。これにより、アンカー部４３に垂下部４３ｃが設けられていない構成と比べ、基礎１１内のコンクリートに対するアンカー部４３の定着性を高めることができ、その結果アンカー部４３の基礎１１からの抜けを防止する効果を高めることができる。
【００４４】
また、アンカー部４３の垂下部４３ｃを、横鉄筋を挟んで連結プレート４２とは反対側において当該横鉄筋と交差させるようにした。これにより、建物１０に外力が加わる等してアンカー金具４１に基礎１１からの引き抜き力が作用した場合にその引き抜き力を基礎１１のコンクリートのみならず横鉄筋によっても受けることができる。これにより、より一層安定した状態でスキップ柱４７を基礎１１の側面に連結することができる。
【００４５】
アンカー金具４１にはアンカー部４３Ａ，４３Ｂを上下方向に所定間隔をおいて複数備え、それら複数のアンカー部４３Ａ，４３Ｂのうち上側アンカー部４３Ａを上端主筋５５の上方で上端主筋５５と交差させる一方、下側アンカー部４３Ｂを腹筋５６の上方で腹筋５６と交差させるようにした。これにより、スキップ柱４７の荷重を上端主筋５５と腹筋５６とに分散させることができるため、１本の横鉄筋（例えば上端主筋５５）によりその荷重を支える場合と比べ、（１本当たりの）横鉄筋に作用する荷重を小さくすることができる。これにより、スキップ柱４７を基礎１１の側方で支持する場合において、より一層安定した状態で支持することができる。
【００４６】
上側アンカー部４３Ａ及び下側アンカー部４３Ｂをそれぞれ水平方向に所定間隔をおいて一対ずつ設けるとともに、それら一対の各アンカー部４３Ａ（４３Ｂ）を埋め込みナット４４の配設位置を基準として、つまり連結プレート４２の幅方向における中央位置を基準として左右非対称に配置した。これにより、同じ二つのアンカー金具４１を、各連結プレート４２が基礎１１の立ち上がり部１１ｂを挟んで対向するように設ける場合に、互いのアンカー部４３同士が基礎１１内で干渉するのを回避することができる。
【００４７】
アンカー部４３を異形鉄筋により構成したため、異形鉄筋の凹凸（節）により基礎１１内のコンクリートに対するアンカー部４３の付着性を高めることができる。これにより、アンカー部４３の基礎１１からの抜け防止を高める効果を期待できる。
【００４８】
本発明は上記実施形態に限らず、例えば次のように実施されてもよい。
【００４９】
（１）上記実施形態におけるアンカー金具４１に代えて、連結プレート４２を２つ備えたアンカー金具を用いてもよい。以下、その具体例について図５を参照しつつ説明する。図５に示すように、アンカー金具６５は、対向する２つの連結プレート４２と、これら各連結プレート４２を繋ぐアンカー部６６とを備えている。アンカー部６６は、各連結プレート４２の間を同プレート４２に対して直交する方向に延びる水平部６６ａと、水平部６６ａの長手方向両端部からそれぞれ下方に延びる一対の連結部６６ｂとを有しており、これら各連結部６６ｂが各連結プレート４２の対向面にそれぞれ溶接等により固定されることで、両連結プレート４２とアンカー部６６とが一体化されている。また、アンカー部６６は、上下方向に所定間隔をおいて複数設けられている。本実施例では、図５に示すように、アンカー部６６として上側アンカー部６６Ａと下側アンカー部６６Ｂとが設けられている。
【００５０】
アンカー金具６５は、基礎１１の立ち上がり部において、その両側面に２つの連結プレート４２をそれぞれ露出させた状態で設けられている。具体的には、各連結プレート４２は、その板面が基礎１１の立ち上がり部の側面と略同一面となるように設けられている。そして、各連結プレート４２には、それぞれブラケット４６を介してスキップ柱４７が連結されている。つまり、本アンカー金具６５を用いれば一つの基礎１１に対して二つのスキップ柱４７を基礎１１の側方において支持させることができる。
【００５１】
上側アンカー部６６Ａは、その水平部６６ａが上端主筋５５の上方において当該上端主筋５５と交差しており、下側アンカー部６６Ｂは、その水平部６６ａが腹筋５６の上方において当該腹筋５６と交差している。したがって、アンカー金具６５に作用するスキップ柱４７の荷重を基礎１１のコンクリートのみならず上端主筋５５及び腹筋５６によっても支えることができる。これにより、基礎１１を挟んだ両側で２つのスキップ柱４７を支持する場合において、両スキップ柱４７を安定して支持することができる。
【００５２】
ここで、上記実施形態におけるアンカー金具４１を二つ用いても同様の効果を得ることができるが、この場合、アンカー金具４１を基礎１１に配置する際基礎１１内で互いのアンカー部４３同士が干渉しないよう配慮する必要がある。その点、本アンカー金具６５を用いれば、そのような配慮をすることなく、上記効果を得ることができる。
【００５３】
（２）上記実施形態では、基礎１１の側面にアンカー金具４１を介してスキップ柱４７を連結させる構成について説明したが、これを変更して、基礎１１の側面にアンカー金具４１を介して床梁等その他の構造体を連結させてもよい。例えば、基礎１１の側面に床梁を連結させれば、その分基礎１１を減らすことができるため、施工工数の低減を図ることができる。
【００５４】
（３）アンカー部４３の形状は、上記実施形態における形状に必ずしも限定する必要はなく、その他の形状にしてもよい。例えば、上記実施形態では、アンカー部４３に水平部４３ｂの離間側端部から下方に延びる垂下部４３ｃを設けたが、垂下部４３ｃに代えて、水平部４３ｂの離間側端部から下方以外の方向に延びる部位を設けてもよい。例えば、アンカー部４３に、水平部４３ｂの離間側端部から基礎１１の長手方向に沿って延びる部位を設ければ、その部位を上記実施形態における垂下部４３ｃよりも長く延ばすことができるため、アンカー部の全長をその分長くすることができる。よって、基礎１１内のコンクリートに対するアンカー部の定着性をより一層高めることができる。また、この場合、その部位を上端主筋５５等の横鉄筋に沿って配設するとともに、結束線等を用いてその横鉄筋と結束するようにしてもよい。これにより、アンカー部４３を横鉄筋に対して一体化させることができるため、アンカー金具４１と基礎１１との連結強度を高める効果が期待できる。さらに、その部位を、あばら筋５８を挟んで連結プレート４２とは反対側であばら筋５８と交差させるようにすれば、建物１０に外力が加わる等してアンカー金具４１に基礎１１からの引き抜き力が作用した場合にその引き抜き力を基礎１１のコンクリートのみならずあばら筋５８によっても受けることができる。
【００５５】
また、アンカー部に、上記実施形態における垂下部４３ｃに代えて、水平部４３ｂの離間側端部から半円状に曲げられたフック部と、そのフック部から連結プレート４２側に延びるとともに水平部４３ｂの上方に配置される戻り部とを設けてもよい。この場合、横鉄筋が戻り部と水平部４３ｂとの間を通るようにアンカー部４３を配置すれば、横鉄筋の上方において戻り部を当該横鉄筋と交差させることができるため、上記実施形態と同様の効果を得ることができる。また、この場合、フック部が横鉄筋を挟んで連結プレート４２とは反対側において当該横鉄筋と交差するため、アンカー金具４１に作用する力を基礎１１のコンクリートのみならず横鉄筋によっても受けることができる。これにより、基礎１１の側面にスキップ柱４７をより一層安定した状態で連結することができる。
【００５６】
なお、アンカー部４３には、必ずしも垂下部４３ｃを設ける必要はなく、垂下部４３ｃを設けない構成としてもよい。
【００５７】
（４）上記実施形態では、複数のアンカー部４３を上下方向及び水平方向にそれぞれ所定間隔をおいて配置する構成としたが、これら各アンカー部４３の配置の仕方は必ずしもこれに限定されることはなく任意である。例えば、複数の各アンカー部４３を上下方向にのみ又は水平方向にのみ所定間隔をおいて配置するようにしてもよい。また、アンカー部４３は必ずしも複数設ける必要はなく、１つだけ設けるようにしてもよい。
【００５８】
（５）上記実施形態では、スキップ柱４７をアンカー金具４１にブラケット４６を介して連結したが、ブラケット４６を介さないで連結してもよい。例えば、スキップ柱をＣ型鋼により構成した場合には、スキップ柱のウェブの外側面を連結プレート４２の露出面に当接させて、スキップ柱を直接連結プレート４２にボルト等により連結することが考えられる。
【００５９】
（６）上記実施形態では、アンカー部４３と、横鉄筋としての上端主筋５５又は腹筋５６との間に所定の隙間を設けたが、これを変更して、アンカー部４３と横鉄筋とを接触させてもよい。また、この場合、アンカー部４３を鉄筋に対して溶接等により固定すれば、アンカー金具４１を基礎１１に対してより一層強固に連結することができる。
【符号の説明】
【００６０】
１０…建物、１１…基礎、１１ｂ…立ち上がり部、３０…主架構、３１ａ〜３１ｄ…下階柱、４０…副架構としてのスキップ架構、４１…アンカー金具、４２…連結部としての連結プレート、４３…アンカー部、４３ｂ…第１アンカー部としての水平部、４３ｃ…第２アンカー部としての垂下部、４７…構造体としてのスキップ柱、５５…基礎鉄筋及び横鉄筋としての上端主筋、５６…基礎鉄筋及び横鉄筋としての腹筋、６５…アンカー金具。
【図１】
2010209628.tif 000003
【図２】
2010209628.tif 000004
【図３】
2010209628.tif 000005
【図４】
2010209628.tif 000006
【図５】
2010209628.tif 000007